(57)【要約】【課題】均質な中空粒子を製造できる噴霧熱分解装置の提供。【解決手段】垂直管方向に上向きに傾斜した傾斜管からなる燃焼管と垂直管からなる反応部とが連結した形状の噴霧熱分解反応炉を有し、傾斜管の端部に垂直管方向に火炎を生じさせる燃焼バーナーを備え、垂直管の底部に上向きに水溶液を噴霧する噴霧装置を備え、傾斜管と垂直管が、傾斜管から垂直管に流れる熱風が連結部で旋回流を生じるように基軸をずらして連結されていることを特徴とする噴霧熱分解装置。【選択図】図１
2020032318.tif 000002
【特許請求の範囲】
【請求項１】
垂直管方向に上向きに傾斜した傾斜管からなる燃焼管と垂直管からなる反応部とが連結した形状の噴霧熱分解反応炉を有し、傾斜管の端部に垂直管方向に火炎を生じさせる燃焼バーナーを備え、垂直管の底部に上向きに水溶液を噴霧する噴霧装置を備え、傾斜管と垂直管が、傾斜管から垂直管に流れる熱風が連結部で旋回流を生じるように基軸をずらして連結されていることを特徴とする噴霧熱分解装置。
【請求項２】
傾斜管が、垂直管に対し１０〜８０°の角度で設置される請求項１記載の噴霧熱分解装置。
【請求項３】
傾斜管と垂直管の連結部の基軸が、垂直管内径を１００％として、１０％以上９０％以下ずれている請求項１又は２記載の噴霧熱分解装置。
【請求項４】
噴霧装置は、燃焼バーナーから生じた火炎が直接接触しない位置に設置される請求項１〜３のいずれか１項記載の噴霧熱分解装置。
【請求項５】
傾斜管における垂直管に接続される部分の内径が、垂直管内径よりも小さい請求項１〜４のいずれか１項記載の噴霧熱分解装置。
【請求項６】
傾斜管内の燃焼室における熱風の出口部に絞り構造を有した請求項１〜５のいずれか１項記載の噴霧熱分解装置。
【請求項７】
補助熱源として、燃焼補助バーナー、熱風ヒーター及び電気ヒーターから選ばれる１基以上を備えている請求項１〜６のいずれか１項記載の噴霧熱分解装置。
【発明の詳細な説明】
【技術分野】
【０００１】
本発明は、噴霧熱分解装置に関する。
【背景技術】
【０００２】
中空微粒子の製造装置として噴霧熱分解法を活用した製造装置が使用されている。この製法に用いる内熱式反応炉はセラミックス製、金属製、耐熱レンガ製等の反応部を有する。反応炉のいずれかの部位に燃焼管が設置され、その燃焼管に、燃焼ガスを生成するためのガスバーナーが設置される。燃焼管は、内部に燃焼室を有する。水溶液を噴霧するための噴霧装置（ノズルユニット）が設置される。ここで用いるノズルは２流体、３流体ないし４流体ノズルと呼ばれるものであり、水溶液を圧縮空気と同時に先端から噴出してミスト化し、微小粒子を形成する。この微小粒子が反応部で乾燥され、製品となる。製品の回収は、吸引ファンによって反応部を負圧とし、バグフィルターによって行う。目標の比重や粒度を得るため、処理条件として、一定以上の処理時間と処理温度が必要である。
【０００３】
一般的に、内熱式の噴霧熱分解装置は、外熱式の噴霧熱分解装置に比べ、ミスト起因のガスの他、ガスバーナーで生成された燃焼ガスも反応部に流れ込むため、反応部内のトータルガス量が多くなる。よって反応部のガス流速が速まり、粒子の目標とする処理時間（炉内滞留時間）を確保できなくなるという問題がある。それに伴い、溶融が不十分で強度の弱い粒子が生じてしまう。これに対しては、装置を大型化する、又は特許文献１〜３のように、複数のガスバーナーを配置し、炉内に旋回流を発生させ、粒子を炉内に長く滞留させることで解決できる。またこれにより、同時に炉内温度ムラも抑制できる。
【先行技術文献】
【特許文献】
【０００４】
【特許文献１】特開２００４−２９２２２３号公報
【特許文献２】特開２００７−８４３５５号公報
【特許文献３】特開２００１−１３７６９９号公報
【発明の概要】
【発明が解決しようとする課題】
【０００５】
しかしながら、特許文献１及び２の装置は、構造が複雑であるため、設備コストが高くなる。また、ガスバーナーが多数設置されているため、処理温度、処理時間の管理が難しいという問題がある。また特許文献３の装置では、噴霧ミストが火炎に接触し、中実粒子と中空粒子が混ざってしまうため、均質な粒子を製造しようとする際に好ましくなかった。
従って、本発明の課題は、複雑な構造とすることなく、温度調整、滞留時間の制御、旋回流の速度の調整が容易で、噴霧されたミストが火炎に直接接触せず、粒子に対して十分な処理時間を付与できる噴霧熱分解装置を提供することにある。
【課題を解決するための手段】
【０００６】
そこで本発明者は、前記課題を解決すべく種々検討した結果、燃焼バーナーを設ける燃焼管を、垂直管状の反応部に対して角度を調整することができる上向きの傾斜管とし、当該傾斜管の先端部に噴霧装置を備えた垂直管状の反応部を設け、傾斜管と垂直管の連結部を基軸が一致するようにするのではなく、基軸をずらして連結すれば、当該連結部により傾斜管から移動してきた熱風が旋回流を発生して垂直管および反応部を上昇することになり、垂直管底部から噴霧されたミストが旋回流に乗って垂直管および反応部を上昇して中空粒子を製造するのに十分な処理時間が得られることを見出し、本発明を完成した。
【０００７】
すなわち、本発明は、次の〔１〕〜〔７〕を提供するものである。
【０００８】
〔１〕垂直管方向に上向きに傾斜した傾斜管からなる燃焼管と垂直管とが連結した形状の噴霧熱分解反応炉を有し、傾斜管の端部に垂直管方向に火炎を生じさせる燃焼バーナーを備え、垂直管の底部に上向きに水溶液を噴霧する噴霧装置を備え、傾斜管と垂直管が、傾斜管から垂直管に流れる熱風が連結部で旋回流を生じるように基軸をずらして連結されていることを特徴とする噴霧熱分解装置。
〔２〕傾斜管が、垂直管に対し１０〜８０°の角度で接続される〔１〕記載の噴霧熱分解装置
〔３〕傾斜管と垂直管の連結部の基軸が、垂直管内径を１００％として、１０％以上９０％以下ずれている〔１〕又は〔２〕記載の噴霧熱分解装置。
〔４〕噴霧装置は、燃焼バーナーから生じた火炎が直接接触しない位置に設置される〔１〕〜〔３〕のいずれかに記載の噴霧熱分解装置。
〔５〕傾斜管における垂直管に接続される部分の内径が、垂直管内径よりも小さい〔１〕〜〔４〕のいずれかに記載の噴霧熱分解装置。
〔６〕傾斜管内の燃焼室における熱風の出口部に絞り構造を有した〔１〕〜〔５〕のいずれかに記載の噴霧熱分解装置。
〔７〕補助熱源として、燃焼補助バーナー、熱風ヒーター及び電気ヒーターから選ばれる１基以上を備えている〔１〕〜〔６〕のいずれかに記載の噴霧熱分解装置。
【発明の効果】
【０００９】
本発明の噴霧熱分解装置を用いれば、噴霧ミストが火炎に直接接触することがなく、簡便な装置により発生した旋回流に乗って上昇するため十分な反応時間（処理時間）が確保でき、均質な中空粒子を効率良く製造することができる。
【図面の簡単な説明】
【００１０】
【図１】本発明噴霧熱分解装置の一例を示す断面概略図（正面断面及び平面断面）である。
【図２】傾斜管と垂直管の連結部分の基軸のずれの例を示す断面概略図（正面断面及び平面断面）である。
【図３】傾斜管内の燃焼室における熱風の出口部に絞り構造を設けた例を示す断面概略図（平面断面）である。
【図４】本発明装置を用いて得られた中空粒子の走査型電子顕微鏡像を示す。
【発明を実施するための形態】
【００１１】
本発明の噴霧熱分解装置は、内燃焼式であり、燃焼管を傾斜管として配置し、噴霧装置を有する反応炉を垂直管として配置してなる（図１）。すなわち、垂直管方向に上向きに傾斜した傾斜管からなる燃焼管１と垂直管からなる反応炉２とが連結した形状の噴霧熱分解反応炉を有する。
【００１２】
傾斜管及び垂直管の外壁は、耐熱性のある金属、例えば鉄、ステンレス、インコネル、ハステロイ、チタン等であるのが好ましい。傾斜管及び垂直管は、略円筒形であるのが、フランジによる連結が行える点、反応炉内の断面方向の温度ムラ、傾斜管及び垂直管からの、断面方向の放散熱ムラが抑えられる点で好ましい。
また、傾斜管及び垂直管の内壁は、必要な耐熱性を有する部材であれば良く。セラミックス、金属、レンガ、不定形耐火物などを用いることができる。
【００１３】
傾斜管は、垂直管に対して上向きに傾斜しており、水平を９０°として、垂直管に対して１０〜８０°の範囲で角度を調整できればよく、その範囲は３０〜８０°が好ましく、４０〜７５°がより好ましい。この角度が１０°以上であると、旋回流の速度が十分に高くなり、反応部に不均一な乱流の発生が防止でき、得られる粒子特性のばらつきを抑制することができる。前記角度が８０°以下にすると、熱風の排出が促進され、熱のこもりを抑制できるため、火炎の延長線上にある垂直管内壁が、局所的に高温となることを抑制できる。また、ミストが熱風によって横方向から強く煽られることを抑制でき、ノズル先端部への固着発生を防止でき、垂直管内径が小さい場合でも、ミストの垂直管の内壁への衝突を防止できる。これらにより、粒子特性のばらつきを抑制できる。
【００１４】
傾斜管の端部には、垂直管方向に火炎を生じさせる燃焼バーナー３を備える（図１）。燃焼バーナーに用いる燃料としては、液体燃料及び気体燃料のいずれも用いることができる。具体的には、ＬＰＧ、都市ガス、気化した有機物などの気体燃料や灯油、軽油、重油、再生油などの液体燃料を用いることができる。
【００１５】
傾斜管の長さは、燃焼バーナーから生じた火炎が直接噴霧ミストに接触しない長さとするのが好ましい。ただし、燃焼バーナーから生じた火炎と噴霧ミストとの距離が長すぎると熱効率が十分でなくなる。
【００１６】
垂直管の底部には、上向きに原料液を噴霧するための噴霧装置４を備える（図１）。噴霧装置４は先端に噴霧ノズルを有する。
【００１７】
噴霧ノズルは、垂直管の底部に上向きに噴霧するように配置される（図１）。噴霧ノズルは、１基でも２基以上でもよい。噴霧ノズルは２〜４流体ノズルであるのが好ましく、また、キャリアーエアとして、圧縮空気を用いて、噴霧ミストの周辺に空気のシールドが形成されるように噴霧ノズルを二重にして、溶液を噴霧しても良い。また、噴霧ノズルは、耐熱性を考慮し、必要に応じて断熱材等で保護しても良い。
【００１８】
噴霧装置は、燃焼バーナーから生じた火炎が直接接触しない位置に設置するのが好ましい。
【００１９】
本発明の噴霧熱分解装置における傾斜管と垂直管は、傾斜管から垂直管に流れる熱風が連結部で旋回流を生じるように基軸をずらして連結されていることを特徴とする。ここで基軸をずらすとは、例えば、図１、図２に示すように、傾斜管と垂直管の連結部の中心軸がずれていることを言う。このように基軸（中心軸）がずれていることにより、傾斜管で発生した熱風が垂直管を通過する際に、真上に上昇するのではなく、旋回流を生じて上昇することになる。垂直管に噴霧されたミストは、この旋回流に乗って垂直管および反応部を上昇し、十分な反応時間（処理時間）を確保できる。
当該基軸（中心軸）のずれ（図１、図２）は、旋回流の発生度、熱効率および、傾斜管内に熱がこもることによる、傾斜管の耐熱性への影響等から、垂直管内径を１００％として、１０％以上９０％以下が好ましく、２０％以上８０％以下がより好ましい。
【００２０】
傾斜管における垂直管に連結される部分の内径は、垂直管の内径よりも小さいほうが、熱風の強い旋回流が発生しやすくなるため好ましい（図２参照）。傾斜管の連結部の内径は、垂直管の内径の８割以下とするのが好ましく、半分以下とするのがより好ましい。
この傾斜管の連結部の内径を調整するにあたり、傾斜管内の燃焼室における熱風の出口部に絞り構造を設けてもよい（図３参照）。この構造により、前記傾斜管の連結部の内径を、垂直管の内径以下に調整することが容易になる。
【００２１】
また、補助熱源を噴霧ノズルの上部に１基以上配置してもよい。補助熱源としては、燃焼補助バーナー、熱風ヒーター及び電気ヒーターから選ばれる１基以上が挙げられる。補助熱源の設置位置は、噴霧ノズルの上部であればよく、補助熱源の数は、1基でもよいが、熱分解炉の長さによっては、２基〜６基配置しても良い。電気ヒーターの場合は、炉内側の周囲に設けてもよい。
補助熱源の設置により、炉体の放散熱分の熱量を付与することができ、中空粒子の合成に必要な温度と保持時間を再現性よく、安定して確保できる。
【００２２】
また、補助熱源として、燃焼補助バーナー、熱風ヒーターを用いる場合は、炉体内の接線方向で、傾斜管で発生して垂直管から上昇してきた旋回流と同じ旋回方向に配置することにより、発生した燃焼ガスの旋回流を妨げることなくなり、補助熱源から発生する燃焼ガスにより、旋回流を補うことができるため好ましい。
【００２３】
燃焼補助バーナー、熱風ヒーターは、炉内温度や旋回流を調整するために、設置する面や高さを変えてもよい。設置する面は、熱分解炉の垂直方向や対面に並べてもよい。設置する高さについては、同じ高さ（同一円周上）、段違いとしてもよい。
また、補助熱源の燃焼補助バーナーの火炎は、噴霧ミストや生成した中空粒子に直接接触しないようにすることが、ミストの一部のみの過剰反応、中空粒子の溶融や変形などを防止するうえで好ましい。燃焼補助バーナーの火炎が、噴霧ミストや生成した中空粒子に直接接触しないように、燃焼補助バーナーの火炎が炉内に入らないように設置するのが好ましい。燃焼補助バーナーの火炎が炉内に入らないようにするために、燃焼補助バーナーを前後方向に可動できる機構を設けて、火炎の長さなどに応じて調整すればよい。
【００２４】
本発明の噴霧熱分解装置の上部には、生成した中空粒子を回収するためのバグフィルターを設置することができる。また、このバグフィルターの前段に、バグフィルターの負荷低減、粗粒や異物回収のため、サイクロンを配置しても良く、この他に、熱交換器を配置すると余熱利用や排ガス量の低減ができるため好ましい。また、バグフィルターの後段に、必要に応じて、スクラバーなどの除塵、浄化設備を配置しても良い。
【００２５】
本発明の噴霧熱分解装置を用いれば、噴霧ミストが旋回流に乗って長時間反応炉中で反応するので、安定して微小中空粒子を効率良く得ることができる。無機酸化物の原料となる原料液を用いて噴霧熱分解する場合、原料液滴が直接火炎に接触しなければ、まず乾燥反応が進行し、ミストは中空粒子状になる。続いて熱分解反応が進行すれば、無機酸化物中空微粒子が得られる。ここで、無機酸化物としては、例えば金属酸化物、アルミナ、シリカ、カルシア、マグネシア、アルミニウムおよびケイ素からなる酸化物等が挙げられ、より具体的には、アルミナ、シリカ、アルミニウムおよびケイ素からなる酸化物、チタン酸化物、マグネシウム酸化物、カルシウム酸化物、ナトリウム酸化物、カリウム酸化物、リチウム酸化物、ホウ素酸化物、リン酸化物、ジルコニウム酸化物、バリウム酸化物、セリウム酸化物、イットリウム酸化物等が挙げられ、これら酸化物を組みあわせた複合酸化物も挙げられる。
これらの酸化物を構成する元素の原料を溶解あるいは分散する溶媒としては、水及び有機溶媒が挙げられるが、環境への影響、製造コストの点から水が好ましく、溶液のｐＨ調整剤として、酸やアルカリを添加しても良い。酸としては、塩酸、硝酸、硫酸、有機酸などを用いることができ、アルカリとしては、水酸化ナトリウム、水酸化カルシウム、水酸化カリウムなどを用いても良い。
【実施例】
【００２６】
次に実施例を挙げて、本発明を更に詳細に説明する。
実施例
図１及び図２のように、傾斜管（垂直管との連結部の内径：１４５ｍｍ）と垂直管（内径：２００ｍｍ）を組み合わせた形状の反応管を設置した。傾斜管の、垂直管に対する角度は水平を９０°として３０°、４５°、７５°とした。傾斜管の垂直管との連結部の内径を１４５ｍｍとするにあたり、図３のように、傾斜管の出口部に絞り部を設けた。傾斜管は、内径が２００ｍｍの垂直管に対して、基軸を５０ｍｍずらし、傾斜管と垂直管の連結部の基軸のずれを、２５％とした。ガスバーナーを傾斜管に設置し、噴霧装置（ノズル）は、垂直管の下部に設置した（図１参照）。
【００２７】
次いで蒸留水１リットルに硝酸アルミニウムを０．０４ｍｏｌ、オルトケイ酸テトラエチルを０．１６ｍｏｌ溶解したアルミニウム及びケイ素の混合水溶液を溶液タンクに投入した。投入された水溶液は送液ポンプにより、２流体ノズルを介してミスト状に噴霧され、反応部（内部温度１０００℃）を通過させた。その後バグフィルターを用いて中空粒子を回収した。
【００２８】
傾斜管の垂直管に対する角度が７５°のときに得られた中空粒子の走査型電子顕微鏡像を図４に示す。傾斜管の垂直管に対する角度が、前記いずれの場合においても、温度ムラがなく、滞留時間が十分に確保されたため、均質に溶融し、高い強度を持つ中空粒子が得られた。
【符号の説明】
【００２９】
１：傾斜管（燃焼管）
２：垂直管（反応部）
３：燃焼バーナー
４：噴霧装置
【図１】
2020032318.tif 000003
【図２】
2020032318.tif 000004
【図３】
2020032318.tif 000005
【図４】
2020032318.tif 000006